(57)【要約】【課題】より簡便に不意に結合が解除されることを防止可能な結合金具を提供する。【解決手段】係合突起２２及び係合突起２２と連続する摺動部２３を有する差し金具２と、爪３１を有する受け金具３と、差し金具２が遊貫されると共に押し輪部４０を有する摺動筒４と、を備え、押し輪部４０が、摺動筒４を摺動させることで、摺動部２３に沿って摺動可能に設けられており、押し輪部４０の摺動によって、爪３１と係合突起２２との係合を解除可能になっている結合金具１において、差し金具２を、掛止部２４を有するものとし、摺動筒４を、掛合部４４と、掛合部４４の付勢手段４６と、を有するものとし、掛合部４４を、回動可能且つ掛止部２４と掛合可能に設け、付勢手段を、掛止部２４と掛合部と４４の掛合を保持するものとし、掛合部４４を回動させることにより、掛止部２４と掛合部４４との掛合が解除可能とする。【選択図】図１
0003216797.tif 000002
【実用新案登録請求の範囲】
【請求項１】
係合突起及び該係合突起と連続する摺動部を有する差し金具と、
爪を有する受け金具と、
該差し金具が遊貫されると共に押し輪部を有する摺動筒と、を備え、
該爪は、該差し金具が該受け金具に差込まれた際に、該係合突起と係合可能に設けられ、
該押し輪部は、該摺動筒を摺動させることで、該摺動部に沿って摺動可能に設けられており、
該押し輪部の摺動によって、該爪と該係合突起との係合を解除可能になっている結合金具であって、
該差し金具は、掛止部を有し、
該摺動筒は、掛合部と、該掛合部の付勢手段と、を有しており、
該掛合部は、回動可能且つ該掛止部と掛合可能に設けられ、
該付勢手段は、該掛止部と該掛合部との掛合を保持するものであり、
該掛合部を回動させることにより、該掛止部と該掛合部との掛合が解除可能となっていることを特徴とする結合金具。
【請求項２】
前記掛止部は、掛合突起又は掛止溝であり、
前記掛合部は、該掛合突起又は該掛止溝と掛合可能に設けられた爪部を有していることを特徴とする請求項１に記載の結合金具。
【請求項３】
前記付勢手段は、前記摺動筒の周方向に延在する様に設けられた弾性リングであることを特徴とする請求項１又は２に記載の結合金具。
【請求項４】
前記付勢手段は、発条体であることを特徴とする請求項１又は２に記載の結合金具。
【請求項５】
前記差し金具は、前記係合突起及び前記摺動部の代わりに前記爪を有し、
前記受け金具は、該爪の代わりに該係合突起及び該摺動部を有しており、
前記摺動筒は、該差し金具の代わりに該受け金具が遊貫されており、
前記掛止部は、該差し金具の代わりに該受け金具に設けられているものであることを特徴とする請求項１乃至４の何れかに記載の結合金具。
【請求項６】
請求項１乃至５の何れかに記載の結合金具に用いられることを特徴とする差し金具。
【請求項７】
請求項１乃至５の何れかに記載の結合金具に用いられることを特徴とする摺動筒。
【考案の詳細な説明】
【技術分野】
【０００１】
本考案は、結合金具並びにそれに用いられる差し金具及び摺動筒に関し、より詳細には、差込式の結合金具並びにそれに用いられる差し金具及び摺動筒に関する。
【背景技術】
【０００２】
従来、消防ホース等の結合するために用いられる差込式の結合金具がある（例えば、特許文献１及び２を参照）。この様な結合金具は、差し金具と受け金具の２つのパーツよりなっており、受け金具に爪発条により内径方向に付勢された複数の爪が設けられていると共に差し金具に爪と係合可能に設けられた凹条が形成されており、差し金具が受け金具に差込まれた際に、爪と凹条とが係合することにより結合されるものである。
【０００３】
又、この様な結合金具には、結合を解除するための押し輪が設けられている。押し輪は、軸方向に摺動可能となっていると共に指掛可能に設けられた鍔部（フランジ）を有しており、鍔部に指を掛け、押し輪を摺動させて、爪を介して爪発条を外径方向へと押し上げることにより、爪と凹条とが係合が解除され、結合金具の結合が解除される様になっている。
【０００４】
差込式の結合金具は、例えば、消防用のホースの連結に用いられている。押し輪は、特にその摺動が規制される様にできているものではなかったため、ホースが不慮に動揺し、押し輪が何かに引っ掛ってしまい軸方向へと摺動してしまうと爪と凹条とが係合が解除され、差し金具と受け金具とが不意に離脱してしまう可能性があるという問題があった。
【０００５】
そこで、この不意の離脱を防止した差込式の結合金具が開発されている（特許文献３を参照）。特許文献３に記載された結合金具においては、ロック部材を別個に設け、押し輪の摺動をロック部材でロックすることにより、不意に差し金具と受け金具との結合が解除されることを防止している。
【先行技術文献】
【特許文献】
【０００６】
【特許文献１】特開２０１３−７９６５９号公報
【特許文献２】特開２０１３−９２１７２号公報
【特許文献３】特開２００４−１１８６０号公報
【考案の概要】
【考案が解決しようとする課題】
【０００７】
特許文献３に記載の結合金具においては、差し金具と受け金具とを結合した後に、更にロック部材を結合金具に掛けるという作業が必要であり、作業が煩雑となるという問題があった。特に、迅速性が求められる火災現場においては、全ての結合金具にロック部材を掛けることは、現実的ではなく、ロック部材が掛けられていても一部の結合金具に留まっているという実情がある。
【０００８】
そこで、本考案は、この様な火災現場における実情を考慮し、より簡便に不意に結合が解除されることを防止可能な結合金具を提供することを目的とする。
【課題を解決するための手段】
【０００９】
本考案は、係合突起及び該係合突起と連続する摺動部を有する差し金具と、爪を有する受け金具と、該差し金具が遊貫されると共に押し輪部を有する摺動筒と、を備え、該爪は、該差し金具が該受け金具に差込まれた際に、該係合突起と係合可能に設けられ、該押し輪部は、該摺動筒を摺動させることで、該摺動部に沿って摺動可能に設けられており、該押し輪部の摺動によって、該爪と該係合突起との係合を解除可能になっている結合金具であって、該差し金具は、掛止部を有し、該摺動筒は、掛合部と、該掛合部の付勢手段と、を有しており、該掛合部は、回動可能且つ該掛止部と掛合可能に設けられ、該付勢手段は、該掛止部と該掛合部との掛合を保持するものであり、該掛合部を回動させることにより、該掛止部と該掛合部との掛合が解除可能となっていることを特徴とする結合金具である。又、本考案は、前記結合金具に用いられることを特徴とする差し金具である。又、本考案は、前記結合金具に用いられることを特徴する摺動筒である。
【００１０】
尚、本考案は、前記掛止部を、掛合突起又は掛止溝とし、前記掛合部を、該掛合突起又は該掛止溝と掛合可能に設けられた爪部を有しているものとすることができる。又、本考案は、前記付勢手段を、前記摺動筒の周方向に延在する様に設けられた弾性リングとすることが可能である。又、本考案は、前記付勢手段を、発条体とすることが可能である。又、本考案は、前記差し金具を、前記係合突起及び前記摺動部の代わりに前記爪を有するものとし、前記受け金具を、該爪の代わりに該係合突起及び該摺動部を有するものとし、前記摺動筒を、該差し金具の代わりに該受け金具が遊貫されているものとし、前記掛止部を、該差し金具の代わりに該受け金具に設けることが可能である。
【考案の効果】
【００１１】
本考案は、差し金具の掛止部を設けると共に摺動筒に掛止部に掛合可能な掛合部を設け、更に、該掛止部と該掛合部との掛合を付勢手段によって保持すると共に該掛合部を回動させることにより、該掛止部と該掛合部との掛合が解除可能としたため、より簡便に不意に差し金具と受け金具との結合が解除されることを防止することが可能である。
【図面の簡単な説明】
【００１２】
【図１】本考案の第１実施形態を示す図であり、（ａ）は、差し金具と受け金具とが係合させた状態を示す片側断面図であり、（ｂ）は（ａ）の要部拡大図である。
【図２】本考案の第１実施形態を示す図であり、差し金具と受け金具との係合が解除された状態を示す片側断面図である。
【図３】本考案の第１実施形態を示す図であり、差し金具及び摺動筒の平面図である。
【図４】本考案の第２実施形態を示す図であり、（ａ）は、差し金具と受け金具とが係合させた状態を示す片側断面図であり、（ｂ）はIV−IV拡大断面図である。
【図５】本考案の第２実施形態を示す図であり、差し金具及び摺動筒の平面図である。
【考案を実施するための形態】
【００１３】
本考案の第１実施形態を図１乃至図３に基づき説明する。結合金具１は、例えば、消防ホース（図示せず）の結合に用いられ、差し金具２、受け金具３、摺動筒４を備えている。差し金具２は、結合したい消防ホースの一方に接続され、受け金具３は、該消防ホースの他方に接続される。
【００１４】
差し金具２は、その内方に消火水等の流路Ｆが形成された略筒状、例えば、略円筒状をなしており、その先端１ａ側に受け金具３の孔部３０に差込可能に設けられた差込部２０が設けられていると共にその基端１ｂ側にホースの継手部（図示せず）が差込可能に設けられたホース継手部２１が設けられている。ホース継手部２１は、本実施形態においては、消防用ホースの継手部が挿着されるタイプであるが、例えば、螺着等の他のタイプを適宜採用することが可能である。
【００１５】
差込部２０は、その外面の先端１ａ側に、係合突起２２が設けられていると共に係合突起２２と連続する摺動部２３を有している。又、差込部２０には、摺動部２３の基端１ｂ側と連続する外面に掛止部の一例たる掛止突起２４が設けられている。掛止突起２４は、周方向に延在する略環状の突起であり、後述するロックレバー４４の爪部４４ａと掛合可能に設けられている。本実施形態においては、掛止突起２４の先端１ａ側にはテーパー面２４ａが形成されており、先端１ａ側に位置していた摺動筒４を、基端１ｂ側に戻す際に、ロックレバー４４の爪部４４ａが、掛止突起２４を容易に乗り越えられる様になっている。
【００１６】
受け金具３は、その内方に流路Ｆの一部を構成する孔部３０が設けられた略筒状、例えば、略円筒状をなしており、孔部３０の基端１ｂ側に周方向に離間して配設された爪３１が設けられている。又、受け金具３は、その先端１ａ側にホース継手３２が設けられている。ホース継手３２は、ホース継手２１と同様に必要に応じて様々なものが選択可能である。
【００１７】
爪３１は、爪発条３３によって内径方向に付勢がさせており、差し金具２が受け金具３に差込まれた際に、係合突起２２によって一旦外径方向に引っ込む様になっており、係合突起２２及び後述する押し輪部４０によって形成された凹条５と爪３１が対向する位置まで差し金具２が受け金具３に差込まれると、再度、爪発条３３によって内径方向へと飛出し、係合突起２２と係合する様になっている。
【００１８】
本実施形態において、爪３１及び爪発条３３は、孔部３０の内面に形成された凹部３４内に収められる様に受け金具３に取付けられている。このため、爪３１は、基端１ｂ側の面がテーパー面３１ａとなっていることが望ましい。又、凹部３４は、120°間隔で周方向に離間して三箇所に設けられており、それに伴って、爪３１も三箇所に設けられているが、爪３１の数、形状等は必要に応じて適宜選択可能である。
【００１９】
摺動筒４は、その内方に差し金具２が遊貫、即ち、遊びを持って貫通可能に設けられた略筒状、例えば、略円筒状をなしており、それによって、差し金具２の外周面に沿って摺動可能となっている。又、摺動筒４は、その先端１ａ側に押し輪部４０を有していると共に、基端１ｂ側に本体部４１を有している。
【００２０】
本体部４１には、軸方向Ａ１に延在する溝部４２が設けられていると共に周状溝４３が設けられている。溝部４２には、溝部４２の壁部４２ａに回動可能に軸支された掛合手段の一例たるロックレバー４４が設けられている。又、溝部４２の先端１ａ側は、指入部４５と連続している。指入部４５は、少なくともヒトの指を挿入可能な大きさに設けられている。
【００２１】
周状溝４３には、ロックレバー４４の付勢手段の一例しての弾性リング４６が嵌着されている。本実施形態において、弾性リング４６は、ゴム等にエラストマーによって形成されや環状体であるが、その材質・形状等は適宜選択可能である。尚、「リング」には、Ｃリング等様な一部が切り欠かれている不完全なリング様のものも含まれるものと定義する。
【００２２】
ロックレバー４４は、差し金具２の掛止突起２４と掛合可能に設けられており、該掛合によって、摺動筒４の軸方向Ａ１への摺動を規制するために設けられ、その基端１ｂ側に爪部４４ａを有していると共にその先端１ａ側が指入部４５内に突出する様に設けられている。爪部４４ａは、掛止突起２４と爪部４４ａとの掛合が、弾性リング４６の弾性力によって保持されると共にヒトの指でロックレバー４４を矢印Ａ２方向に押圧し、ロックレバー４４を回動させることによって、該掛合が解除される様になっている。
【００２３】
押し輪部４０は、受け金具３の爪３１と差し金具２の係合突起２２との係合を解除し、差し金具２を受け金具３から離脱させるために設けられている。押し輪部４０は、摺動筒４を、差し金具２の外周面に沿って摺動させることにより、摺動部２３に沿って摺動可能に設けられている。
【００２４】
それによって、押し輪部４０は、摺動筒４が基端１ｂ側に位置した際に、差し金具２の係合突起２２と共に凹条５を形成すると共に、摺動筒４を摺動させ、摺動筒４が先端１ａ側に位置した際に、凹条５に収められた受け金具３の爪３１を外径方向へ押し上げ、受け金具３の爪３１と差し金具２の係合突起２２との係合を解除する様になっている。
【００２５】
即ち、押し輪部４０は、ロックレバー４４の爪部４４ａと差し金具２の掛合突起２４とが掛合されている状態においては、摺動部２３に沿って摺動できない様になっていると共にロックレバー４４が回動し、該掛合が解除された状態においては、摺動筒４を差し金具２に沿って摺動させることで、容易に摺動部２３に沿って摺動させることが可能になっていることとなる。
【００２６】
消防用ホースを結合するために、差し金具２を受け金具３に差込む際には、予め、摺動筒４を基端１ｂ側に位置させておき、ロックレバー４４の爪部４４ａと差し金具２の掛止突起２４とを掛合させ、摺動筒４の摺動を規制させておき、差し金具２の差込部２０を受け金具３の孔部３０へと挿入する。そうすると、受け金具３の爪３１は、凹条５に収まる形で、差し金具２の係合突起２２と係合し、消防用ホースの結合は、完了する。
【００２７】
消防用ホースの結合を解除する際には、摺動筒４の指入部４５に指を入れ、ロックレバー４４の先端１ａ側を指で矢印Ａ２方向に押圧し、これによって、ロックレバー４４を回動させ、ロックレバー４４の爪部４４ａと差し金具２の掛止突起２４とを掛合を解除し、その後に、摺動筒４を軸方向Ａへと差し金具２に沿って摺動させると共に押し輪部４０を摺動部２３に沿って摺動させる。そうすると、摺動筒４の押し輪部４０は、テーパー面３１ａに沿って、爪３１の内方に徐々に入り込んでいき、爪３１を外径方向へと押し上げる。そして、押し輪部４０が、係合突起２２と当接又は近接する位置まで、押し輪部４０を摺動させると、爪３１と係合突起２２との係合が解除され、差し金具２を受け金具３から抜くことが可能となる。
【００２８】
従って、結合金具１において、押し輪部４０は、ロックレバー４４の爪部４４ａと差し金具２の掛止突起２４とを掛合している限り、先端１ａ側への摺動が規制されていることとなる。この規制の解除は、ロックレバー４４を回動させる必要があるが、この状態において、ロックレバー４４は、弾性リング４６によって付勢されているため、偶発的には、起こり難くなっており、それによって、ホースが不慮に動揺した際であっても不意に結合が解除されることが防止されていることとなる。
【００２９】
又、本実施形態においては、ロックレバー４４が設けられている分、本体部４１が軸方向Ａにある程度の長さが確保されており、それによって、摺動筒４を摺動させる際に、本体部４１を把持することが可能であるので、従来必要であった鍔部が不要となっており、ホースが不慮に動揺した際に何かに引っ掛る可能性ある部分を極力排除することが可能となっており、この点からもホースが不慮に動揺した際であっても不意に結合が解除されることが防止されていることとなる。
【００３０】
そして、押し輪部４０の摺動をロックするために追加的な作業が不要となっており、火災現場等の迅速性の求められる現場においても、不意に結合が解除されることが防止することが可能である。
【００３１】
本発明の第２実施形態を図４及び図５に基づき説明する。本実施形態と第１実施形態体との相違は、掛止突起２４の代わりに掛止溝２５を前記掛止部とした点及び弾性リング４６の代わりに発条体４９を前記付勢手段とした点である。第１実施形態と同符号で表した構成については、同実施形態と同様であるので説明は省略する。
【００３２】
摺動筒４の本体部４１には、周方向Ａ２に延在する溝部４７が設けられており、溝部４７の壁部４７ａには、ロックレバー４８が回動可能に軸支されている。ロックレバー４８は、第１の実施形態のロックレバー４４と略同様の構造をしており、その一端に爪部４８ａを有している。
【００３３】
差し金具２の差込部２０には、摺動部２３の基端１ｂ側と連続する外面であって、摺動筒４が基端１ｂ側に位置した際に、その溝部４７と対向する位置に掛止部の一例たる掛止溝２５が設けられている。掛止溝２５は、周状の溝であり、ロックレバー４８の爪部４８ａと掛合可能に設けられている。
【００３４】
ロックレバー４８には、その爪部４８ａと掛止溝２５との掛合を保持する付勢手段の一例たる発条体４９が取付けられている。発条体４９は、爪部４８ａを差し金具２の中心方向に付勢しており、それによって、爪部４８ａと掛止溝２５との掛合を保持している。指等によりロックレバー４８が矢印Ａ３方向に押圧されると、発条体４９は、弾性変形すると共にロックレバー４８が回動することで、爪部４８ａと掛止溝２５との掛合が解除される様になっている。本実施形態においては、発条体４９は、板バネとして設けられているが、コイルバネ等の他の発条体も適宜選択可能である。
【００３５】
本発明を、上記実施形態に基づき説明したが、本発明は、上記実施形態に限定されるものではなく、発明の要旨を変更しない範囲で適宜変更可能である。例えば、上記実施形態においては、差し金具２に係合突起２２を設け、受け金具３側に爪３１を設けたが、差し金具２に爪３１を設け、受け金具３に係合突起２２を設ける様にしてもよい。この場合、摺動筒４は、受け金具３が遊貫される。
【符号の説明】
【００３６】
１      結合金具            １ａ    先端                １ｂ    基端
２      差し金具            ２０    差込部              ２１    ホース継手部
２２    係合突起            ２３    摺動部              ２４    掛止突起
２４ａ  テーパー面          ２５    掛止溝              ３      受け金具
３０    孔部                ３１    爪                  ３１ａ  テーパー面
３２    ホース継手          ３３    爪発条              ３４    凹部
４      摺動筒              ４０    押し輪部            ４１    本体部
４２    溝部                ４２ａ  壁部                ４３    周状溝
４４    ロックレバー        ４４ａ  爪部                ４５    指入部
４６    弾性リング          ４７    溝部                ４７ａ  壁部
４８    ロックレバー        ４８ａ  爪部                ４９    発条体
５      凹条                Ａ１    軸方向              Ａ２    押圧方向
Ａ３    押圧方向            Ｆ      流路
【図１】
0003216797.tif 000003
【図２】
0003216797.tif 000004
【図３】
0003216797.tif 000005
【図４】
0003216797.tif 000006
【図５】
0003216797.tif 000007